Podtech/llm-jp-corpus-v4-ja_patent huggingface dataset:
(57)【要約】      （修正有）【課題】使用者の体型などに合わせて肩ベルトの長さを任意に調節することが出来ると共に、使用中に肩ベルトが分断されるような虞れの無い、使い勝手と安全性との双方を向上し機能美も重視した対面保持型ベビーキャリーを提供する。【解決手段】乳幼児の臀部を支承可能なシート状保持部２と、両端をシート状保持部の上端側左右に固定して使用者の一方の肩にたすき状に掛ける肩ベルト３と、シート状保持部の下端側に取り付けて使用者の腰周りに掛け渡される腰ベルト５と、乳幼児を固定する安全ベルト６を備えた対面保持型のベビーキャリーであって、肩ベルトは、非伸縮性で且つ柔軟性を備え長さが調節される主ベルトと、主ベルトに添設したゴム材からなるショックアブソーバー８とを備える。またシート状保持部の反対の面にはバッグが添接されている。【選択図】図１
0003189276.tif 000002
【実用新案登録請求の範囲】
【請求項１】
少なくとも乳幼児の臀部を支承可能なシート状保持部と、両端を前記シート状保持部の上端側左右に固定して使用者の一方の肩にたすき状に掛ける肩ベルトと、前記シート状保持部の下端側に取り付けて使用者の腰周りに掛け渡される腰ベルトと、乳幼児を固定する安全ベルトを備えた対面保持型のベビーキャリーであって、
前記肩ベルトを、非伸縮性で且つ柔軟性を備え長さが調節される主ベルトと、該主ベルトに添設したゴム材でショックアブソーバーの機能を備えていることを、特徴とするベビーキャリー
【請求項２】
前記シート状保持部の反対の面にバッグが添接されていることを特徴とする請求項１に記載されたベビーキャリー
【考案の詳細な説明】
【技術分野】
【０００１】  本考案は、使用者と対面状に乳幼児を保持する対面保持型ベビーキャリーの改良に関し、詳しくは、使用者の使い勝手と、乳幼児保持の安全性との双方を同時に向上し得る新規な対面保持型ベビーキャリーに関する。
【背景技術】
【０００２】従来から、例えば特許文献１などに開示されるような、使用者の一方の肩から反対側の腰部にわたりたすき状に掛ける肩ベルト部分と、少なくとも乳幼児の臀部を支承可能なよう前記肩ベルト部分の左右両端にわたって連設されるシート部分を備えた対面保持型のベビーキャリーが知られている。【０００３】
【特許文献１】特開２０１３−２４０５５２
【特許文献２】特開２０１０−１４２６２４
【考案の概要】
【考案が解決しようとする課題】
【０００４】上記した従来のベビーキャリーは、シート部分に乳幼児が腰掛ける形態で乗せておくだけの旧来の構造のものとは異なり、優れたものであるが、使用者の使い勝手と乳幼児保持の安全性に改良の余地を残していた。
すなわち、特許文献１に開示されたものは、乳幼児の腰部が固定されていない為、乳幼児がぐずるなどの激しい動作を行った場合シート部分から滑り落ちてしまうような場合がある。
一方、特許文献２に開示されたものは、収納機能があり、安全性にも優れているが、リュックを下すことなく、ベビーキャリーとして乳幼児を載せられるとあるが、乳幼児を載せている間は、リュックのものを取り出すことは出来ない。【０００５】本考案はこのような従来事情に鑑みてなされたもので、その目的とする処は、使用者の体型などに合わせて肩ベルトの長さを調節することが出来ると共に、重量負荷を軽減する機能を備え、使用中に肩ベルトが分断されるような虞れの無い、未使用時には、ボディバッグとして、使い勝手と安全性の双方を向上し得る新規な対面保持型ベビーキャリーを提供することにある。
【課題を解決するための手段】
【０００６】上記した目的を達成するために、本考案に係るベビーキャリーは、少なくとも乳幼児の臀部を支承可能なシート状保持部と、両端を前記シート状保持部の上端側左右に固定して使用者の一方の肩にたすき状に掛ける肩ベルトと、前記シート状保持部の下端側に取り付けて使用者の腰周りに掛け渡される腰ベルトと、を備えた対面保持型のベビーキャリーであって、前記肩ベルトを、非伸縮性で且つ柔軟性を備えた主ベルトと、該主ベルトに添設したゴム材でショックアブソーバーを組み合わせた機構を備えることを特徴とする。【０００７】このように構成した場合、本体に下向きの力が掛かるとゴム材のショックアブソーバーは垂直応力が作用し、ゆっくりと元の状態に戻る。このため重量物はなめらかに人体の上下動に追随し、人体に係る重量負荷は軽減される。【０００８】前記主ベルトは、輪状に形成され、前記シート状保持部に添接する。【０００９】前記主ベルトの長さ方向両端部位に前記ショックアブソーバーをそれぞれ添設する。【００１０】前記シート状保持部が、乳幼児の臀部、腰部及び背部を支承可能な形状に形成されており、該シート状保持部の端側左右に前記肩ベルトを、下端側中央に前記腰ベルトを、中間部分左右に安全ベルトを、それぞれ取り付けてあり、前記安全ベルトで前記シート状保持部に乳幼児を固定するよう形成することが好ましい。
この場合、安全ベルトによって、乳幼児をシート状保持部にしっかりと固定することができる。
【考案の効果】
【００１１】本考案に係るベビーキャリーは以上説明したように構成したので、使用者の体型や好みなどに合わせて肩ベルトの長さ、シート状保持部の高さを適宜に調節することが出来る。しかも、ボディーバッグから簡単に抱っこひもになり立ったままの状態で装着脱が可能であり、ボディーバッグに収納されたものも取り出すことが可能である。使用中に肩ベルトが分断されるような虞れも無い。よって、使い勝手と安全性の双方を向上し得る新規な対面保持型のベビーキャリーとして提供することが出来た。
【図面の簡単な説明】
【００１２】
【図１】本考案の実施形態を示す説明図である。
【図２】図１の２の側面図に相当する図である。
【図３】図１の１の実施形態を示す説明図である。
【図４】図１の１の実施形態を示す説明図である。
【符号の説明】
【００１３】１  キャリーバック
２  保持シート
３  肩ベルト
４  胴ベルト通し
５  胴ベルト
６  安全ベルト
７  固定具
８  ショックアブソーバー
９  バックル
１０  肩パッド
１１  収納部
１２  バッグ
１３  乳幼児
１４  使用者
【図１】
0003189276.tif 000003
【図２】
0003189276.tif 000004
【図３】
0003189276.tif 000005
【図４】
0003189276.tif 000006
(57)【要約】【課題】  画像の任意の部位を煌めかせた写真パネルを提供する。【解決手段】  煌めく写真パネル本体１は、透明なアクリル板２の背面に、順に、透明な印刷下地剤３を塗布し、原画像４をカラー印刷し、煌めかせたい任意の部位を切り出した画像５を透明な印刷下地剤で印刷し、前記の煌めかせたい任意の部位を切り出した画像５の印刷剤部分に金属粉６を擦り込み定着させて、再び原画像４をカラー印刷し、クリア塗装７を施した構造を有して、これらを合成して一体に成した。【選択図】図１
0003189274.tif 000002
【実用新案登録請求の範囲】
【請求項１】
煌めく写真パネル本体は、透明なアクリル板の背面に、順に、透明な印刷下地剤を塗布し、原画像をカラー印刷し、煌めかせたい任意の部位を切り出した画像を透明な印刷下地剤で印刷し、前記の煌めかせたい任意の部位を切り出した画像の印刷剤部分に金属粉を擦り込み定着させて、再び原画像をカラー印刷し、クリア塗装を施した構造を有して、これらを合成して一体に成したことを特徴とする煌めく写真パネル。
【考案の詳細な説明】
【技術分野】
【０００１】  本考案は、写真パネルに関する。
【背景技術】
【０００２】  従来より、写真パネルは、写真を印画紙に印刷し、パネル状に成したものが一般的に知られている。【０００３】  しかしながら、このような写真パネルに於いては、花火やネオンなどの煌めきを色彩表現することが難しく、光沢処理やメタリックインク使用をするものであった。【０００４】  そのため、臨場感や豪華さに欠ける傾向にあった。
【考案の概要】
【考案が解決しようとする課題】
【０００５】  本考案は、上記従来有する問題点に鑑み、画像の任意の部位を煌めかせた写真パネルを提供しようとするものである。
【課題を解決するための手段】
【０００６】  煌めく写真パネル本体１は、透明なアクリル板２の背面に、順に、透明な印刷下地剤３を塗布し、原画像４をカラー印刷し、煌めかせたい任意の部位を切り出した画像５を透明な印刷下地剤で印刷し、前記の煌めかせたい任意の部位を切り出した画像５の印刷剤部分に金属粉６を擦り込み定着させて、再び原画像４をカラー印刷し、クリア塗装７を施した構造を有して、これらを合成して一体に成した。
【考案の効果】
【０００７】  本考案によれば、花火やネオンなど、これまで煌めきを表現することが難しかった写真を臨場感ある豪華な写真パネルとすることが可能である。【０００８】  また、本考案によれば、アクリル板に直接印刷等を施していることから、優れた耐久性・耐水性を有すると期待できる。
【図面の簡単な説明】
【０００９】
【図１】  本考案に於ける煌めく写真パネルの構造を説明する分解図である。
【図２】  本考案に於ける煌めく写真パネルの正面図である。
【考案を実施するための形態】
【００１０】  以下、本考案の実施の形態について、図面を参照して説明する。
図１・図２に示すように、煌めく写真パネル本体１は、透明なアクリル板２の背面に、順に、透明な印刷下地剤３を塗布し、原画像４をカラー印刷し、煌めかせたい任意の部位を切り出した画像５を透明な印刷下地剤で印刷し、前記の煌めかせたい任意の部位を切り出した画像５の印刷剤部分に金属粉６を擦り込み定着させて、再び原画像４をカラー印刷し、クリア塗装７を施した構造を有して、これらを合成して一体に成した。
【符号の説明】
【００１１】  １    煌めく写真パネル本体
２    透明なアクリル板
３    透明な印刷下地剤
４    原画像
５    煌めかせたい任意の部位を切り出した画像
６    金属粉
７    クリア塗装
【図１】
0003189274.tif 000003
【図２】
0003189274.tif 000004
(57)【要約】      （修正有）【課題】容易に安定させて持つことができる茶碗を提供する。【解決手段】茶碗２の外側の底部３より上方に指の入る間４をあけて突起部１を設ける。突起部１は指に引っ掛かる大きさで、指を引っ掛かけるためのものである。突起部１は半球状である。茶碗２は茶碗である。外側の底部３は外側の底部である。指の入る間４は指の入る間で、外側の底部３から突起部１の間である。突起部の形状、位置をいろいろにすることにより、多種多様にすることができる。【選択図】図１
0003189273.tif 000002
【実用新案登録請求の範囲】
【請求項１】
茶碗の外側の底部より上方に指の入る間をあけて突起部を設けた、指を引っ掛けるための突起部を設けた茶碗。
【考案の詳細な説明】
【技術分野】
【０００１】本考案は、茶碗に関するものである。
【背景技術】
【０００２】従来、指を引っ掛けるための突起部を設けた茶碗はなかった。
【考案の開示】
【考案が解決しようとする課題】
【０００３】従来は次のような欠点があった。
従来の茶碗は手の不自由な人では持ちにくく不便であった。
本考案は、上記の欠点を除くためになされたものである。
【課題を解決するための手段】
【０００４】茶碗の外側の底部より上方に指の入る間をあけて突起部を設ける。
本考案は、以上のような構成により問題点を解決している。
【考案の効果】
【０００５】突起部により指が引っ掛かるので茶碗を容易に安定させて持つことができる。
【考案を実施するための最良の形態】
【０００６】茶碗の外側の底部より上方に指の入る間をあけて突起部を設ける。
【実施例】
【０００７】以下、本考案の実施例について説明する。
茶碗２の外側の底部３より上方に指の入る間４をあけて突起部１を設ける。
突起部１は指に引っ掛かる大きさで、指を引っ掛かけるためのものである。
突起部１は半球状である。
茶碗２は茶碗である。
外側の底部３は外側の底部である。
指の入る間４は指の入る間で、外側の底部３から突起部１の間である。
突起部の形状、位置をいろいろにすることにより、多種多様にすることができる。
高台のない茶碗でも同様である。
【図面の簡単な説明】
【０００８】
【図１】本考案の右側面図である。
【図２】本考案の斜視図である。
【図３】本考案の正面からの斜視図である。各図の各部において主要部以外は省略している。各図の各部において波線以外の部分は省略している。
【符号の説明】
【０００９】１    突起部
２    茶碗
３    外側の底部
４    指の入る間
５    指
【図１】
0003189273.tif 000003
【図２】
0003189273.tif 000004
【図３】
0003189273.tif 000005
(57)【要約】      （修正有）【課題】持ち易い角度の柄を付け、水平刈伐作業をし易くする刈伐道具を提供する。【解決手段】平刈伐作業時に鎌の刃１が形成する、刃軌道線４を含む平面と柄断面長軸５が直交する様に、楕円形柄３を取り付ける。水平刈伐作業時に、柄の断面長軸５が保持した手の親指付け根方向に向いて、手に馴染んで持ち易くなり、作業効率が上がる。【選択図】図１
0003189277.tif 000002
【実用新案登録請求の範囲】
【請求項１】
鎌の刃に、柄断面長軸が刃軌道平面と直交する様に、楕円形柄を取り付け、水平刈伐作業時に柄断面長軸が、保持した手の親指の付け根方向を向く様にした刈伐道具。
【請求項２】
稲刈り鎌の刃に、柄断面長軸が刃軌道平面と直交する様に、楕円形柄を取り付け、水平刈伐作業時に柄断面長軸が、保持した手の親指の付け根方向を向く様にした刈伐道具。
【請求項３】
収穫包丁の刃に、柄断面長軸が刃軌道平面と直交する様に、楕円形柄を取り付け、水平刈伐作業時に柄断面長軸が、保持した手の親指の付け根方向を向く様にした刈伐道具。
【請求項４】
竹用鋸の刃に、柄断面長軸が刃軌道平面と直交する様に、楕円形柄を取り付け、水平刈伐作業時に柄断面長軸が、保持した手の親指の付け根方向を向く様にした刈伐道具。
【請求項５】
木用鋸の刃に、柄断面長軸が刃軌道平面と直交する様に、楕円形柄を取り付け、水平刈伐作業時に柄断面長軸が、保持した手の親指の付け根方向を向く様にした刈伐道具。
【請求項６】
下草刈鎌の刃に、柄断面長軸が刃軌道平面と直交する様に、長い両手持ち楕円形柄を取り付け、水平刈伐作業時に柄断面長軸が、保持した手の親指の付け根方向を向く様にした刈伐道具。
【考案の詳細な説明】
【技術分野】
【０００１】  本考案は、柄を持ち易く改良した農林業用の刈伐道具に関するものである。
【背景技術】
【０００２】  一般に大部分の道具には、持ち易い様に断面が楕円形の柄（以下、楕円形柄とする）が付き、使用時にその楕円形柄の柄断面長軸が、保持した手の親指付け根方向を向く。
一方、地面に生えた植物を刈ったり伐採する時は、水平にした刃を地面と平行に動かす作業（以下、水平刈伐作業とする）が大多数である。
ところが通常の鎌など、刈伐道具の柄は、刃の軌道の延長線（以下、刃軌道線とする）を含む平面（以下、刃軌道平面とする）と、柄断面短軸が直交する様に付く事が多い。
【考案の概要】
【考案が解決しようとする課題】
【０００３】  通常の鎌など刈伐道具の楕円形柄は、刃軌道平面と柄断面短軸とが直交する様に付く為に、水平刈伐作業時に柄断面短軸が、保持した手の親指付け根方向を向くので持ち難い。
従って、水平刈伐作業時に柄断面長軸が、保持した手の親指付け根方向を向く楕円形柄を、刈伐道具に付けて、前述の欠点を解決しようとするものである。
【課題を解決するための手段】
【０００４】  本考案は、刃軌道平面に対して柄断面長軸が直交する角度で、楕円形柄を刈伐道具に付け、水平刈伐作業時に柄断面長軸が親指付け根方向を向く様にする。
【考案の効果】
【０００５】  上述の様に、水平刈伐作業時に、柄断面長軸が親指付け根方向を向くので、刈伐道具が持ち易くなって作業がし易い。
【図面の簡単な説明】
【０００６】
【図１】本考案の楕円形柄を鎌の刃に付けた第１実施例を示す全体斜視図である。
【図２】本考案の楕円形柄を稲刈鎌の刃に付けた第２実施例を示す全体斜視図である。
【図３】本考案の楕円形柄を収穫包丁の刃に付けた第３実施例を示す全体斜視図である。
【図４】本考案の楕円形柄を竹用鋸の刃に付けた第４実施例を示す全体斜視図である。
【図５】本考案の楕円形柄を木用鋸の刃に付けた第５実施例を示す全体斜視図である。
【図６】本考案の楕円形柄を、両手持ち用の長柄にして、下草刈鎌の刃に取り付けた第６実施例を示す全体斜視図である。
【考案を実施するための形態】
【０００７】  刈伐道具の刃軌道平面と柄断面長軸が、直交する角度で楕円形柄を刃に付けて、水平刈伐作業時に柄断面長軸が、保持した手の親指付け根方向を向く様にする。
【実施例】
【０００８】  以下、添付図面に従って本考案の実施例を詳細に説明する。
まず第１実施例について図１に基づき説明する。
鎌の刃１に、柄断面長軸５が刃軌道線４を含む平面と直交する様に、楕円形柄３を取り付ける。柄断面長軸５が保持した手の親指付け根方向を向いた状態で水平刈伐作業が出来る。【０００９】  次に、本考案の第２実施例について図２に基づき説明する。
稲刈鎌の刃７に、柄断面長軸５が刃軌道線４を含む平面と直交する様に、楕円形柄３を取り付ける。柄断面長軸５が保持した手の親指付け根方向を向いた状態で水平刈伐作業が出来る。【００１０】  次に、本考案の第３実施例について図３に基づき説明する。
収穫包丁の刃８に、柄断面長軸５が、刃軌道線４を含む平面と直交する様に、楕円形柄３を取り付ける。柄断面長軸５が保持した手の親指付け根方向を向いた状態で水平刈伐作業が出来る。【００１１】  次に、本考案の第４実施例について図４に基づき説明する。
竹用鋸の刃９に、柄断面長軸５が、刃軌道線４を含む平面と直交する様に、楕円形柄３を取り付ける。柄断面長軸５が保持した手の親指付け根方向を向いた状態で水平刈伐作業が出来る。【００１２】  次に、本考案の第５実施例について図５に基づき説明する。
木用鋸の刃１０に、柄断面長軸５が、刃軌道線４を含む平面と直交する様に、楕円形柄３を取り付ける。柄断面長軸５が保持した手の親指付け根方向を向いた状態で水平刈伐作業が出来る。【００１３】  次に、本考案の第６実施例について図６に基づき説明する。
下草刈鎌の刃１１に、柄断面長軸５が、刃軌道線４を含む平面と直交する様に、楕円形で、かつ両手で持って作業出来る様に延長した、両手持ち楕円形柄１２を取り付ける。
柄断面長軸５が保持した手の親指付け根方向を向いた状態で水平刈伐作業が出来る。
【符号の説明】
【００１４】１  鎌の刃
２  峰
３  楕円形柄
４  刃軌道線
５  柄断面長軸
６  柄断面短軸
７  稲刈鎌の刃
８  収穫包丁の刃
９  竹用鋸の刃
１０  木用鋸の刃
１１  下草刈鎌の刃
１２  両手持ち楕円形柄
１３  目釘
【図１】
0003189277.tif 000003
【図２】
0003189277.tif 000004
【図３】
0003189277.tif 000005
【図４】
0003189277.tif 000006
【図５】
0003189277.tif 000007
【図６】
0003189277.tif 000008
(57)【要約】      （修正有）【課題】円、円弧を描くときの中心軸を固定する円および円弧描用中心軸固定具を提供する。【解決手段】ベースプレート１の中心に中心点クロス２を設け、ベースプレート１上部に回転体３を組付け、回転体３上部にクロスパイプ４をピン５でクロスパイプ穴Ａ・４ａに挿入組付ける。ピン５により、クロスパイプ４は脱着可動する。クロスパイプ４は、パイプ（丸管）で設定しているが、平板、三角管、四角管など多角形管での制作も可能である。【選択図】図１
0003189272.tif 000002
【実用新案登録請求の範囲】
【請求項１】
ベースプレート（１）の中心に中心点クロス（２）を、上部に回転自由な回転体（３）を設け、回転体（３）の一端、上部にクロスパイプ（４）をピン（５）で組付け、クロスパイプ（４）はピン（５）により脱着可能な円および円弧描用中心軸固定具。
【考案の詳細な説明】
【技術分野】
【０００１】この考案は、円（６）および円弧（７）を描くための回転体で、中心点（６ａ、７ａ）中心軸（６ｂ、７ｂ）を固定する円（６）および円弧（７）を描く中心軸固定具である。
【背景技術】
【０００２】センターサークル、投てきサークル等の円（６）および円弧（７）を描くとき、中心点（６ａ，７ａ）の中心軸（６ｂ，７ｂ）を固定する必要がある。
従来は床面、地面に円（６）および円弧（７）を描く時に中心軸（６ｂ、７ｂ）を固定することに苦慮し、円（６）および円弧（７）を固定して描くときに寸法設定に多大な時間を要した。
【先行技術文献】
【特許文献】
【０００３】
【特許文献１】  特開２０００−１６７１０１号
【考案の概要】
【考案が解決しようとする課題】
【０００４】これは次のような欠点があった。
（イ）円（６）および円弧（７）を描くとき、中心点（６ａ、７ａ）を中心軸（６ｂ、７ｂ）として固定し、円（６）および円弧（７）の中心点（６ａ、７ａ）の中心軸（６ｂ、７ｂ）を固定することが難しかった。
（ロ）正確な円（６）および円弧（７）を描くために、中心軸（６ｂ、７ｂ）の固定が不安定なため円（６）および円弧（７）を描く事に多大な時間を要した。
本考案は、以上のような欠点をなくすためになされたものである。
【課題を解決するための手段】
【０００５】ベースプレート（１）の中心に、中心点クロス（２）を設け、ベースプレート（１）上部に中心軸（６ｂ、７ｂ）を中心とした回転自由な回転体（３）を設け、回転体（３）の一端、上部にクロスパイプ（４）をピン（５）で組付ける構造である。
クロスパイプ（４）はピン（５）により脱着可能とした中心軸（６ｂ、７ｂ）固定具である。
本考案は、以上の構成よりなる円および円弧描用中心軸固定具である。
【考案の効果】
【０００６】（イ）ベースプレート（１）の中心クロス（２）の中心を上部から覗き、円（６）および円弧（７）の中心点（６ａ、７ａ）に合わせる事で、容易に中心点（６ａ、７ａ）の中心軸（６ｂ、７ｂ）を固定する事が容易に出来、ベースプレート（１）上部に回転自由な回転体（３）を設け、円（６）および円弧（７）を描く事が出来る。
（ロ）回転体（３）上部に、クロスパイプ（４）をピン（５）で固定するが脱着可能とした。
【図面の簡単な説明】
【０００７】
【図１】本考案の円および円弧描用中心軸固定具の上面分解図である。
【図２】本考案の円および円弧描用中心軸固定具の正面図である。
【図３】本考案の円および円弧描用中心軸固定具の右側面図である。
【図４】本考案の円および円弧描用中心軸固定具の左側面図である。
【図５】本考案の円および円弧描用中心軸固定具の底面図である。
【図６】本考案の円および円弧描用中心軸固定具の断面図である。
【図７】本考案の円および円弧描用中心軸固定具の断面分解図である。
【図８】本考案の円および円弧描用中心軸固定具の円および円弧の中心点、中心軸図である。
【図９】本考案の円および円弧描用中心軸固定具の斜分解図である。
【考案を実施するための形態】
【０００８】以下、本考案を実施するための形態について説明する。
（１）  作業
センターサークル、投てきサークル等の円（６）および円弧（７）を描く作業。
（２）  作業方法
円および円弧描用中心軸固定具（１〜５）、マスキング器具（９）、検尺用固定パイプ（８）を用いる。
（３）  作業手順
（イ）ベースプレート（１）の中心クロス（２）を上部から覗き、中心を円および円弧の中心点（６ａ、７ａ）に合わせる。
（ロ）ベースプレート（１）の上部に設けた回転体（３）の上部にクロスパイプ（４）をクロスパイプ穴Ａ（４ａ）にピン（５）で組付ける。
（ハ）検尺用固定パイプ（８）の一端（８ａ）にマスキング器具（９）を組付け、（８ｂ）端をクロスパイプ穴Ｂ（４ｂ）に挿入し、円（６）および円弧（７）の寸法設定をしてロック（１０）で固定する。
本考案は、以上のような構造である
【符号の説明】
【０００９】１    ベースプレート                    ７    円弧
２    中心点クロス                      ７ａ  円弧の中心点
３    回転体                            ７ｂ  円弧の中心軸
４    クロスパイプ                      ８    検尺用固定パイプ
４ａ  クロスパイプ穴Ａ                  ８ａ  検尺用固定パイプ一端
４ｂ  クロスパイプ穴Ｂ                  ８ｂ  検尺用固定パイプ一端
５    ピン                              ９    マスキング器具
６    円                              １０    ロック
６ａ  円の中心点
６ｂ  円の中心軸
【図１】
0003189272.tif 000003
【図２】
0003189272.tif 000004
【図３】
0003189272.tif 000005
【図４】
0003189272.tif 000006
【図５】
0003189272.tif 000007
【図６】
0003189272.tif 000008
【図７】
0003189272.tif 000009
【図８】
0003189272.tif 000010
【図９】
0003189272.tif 000011
(57)【要約】      （修正有）【課題】手を汚さず、しかも小型で他の料理の取り分けや箸では使い難い料理に使用でき、卓上でも邪魔にならない卓上立て置きトングを提供する。【解決手段】平坦な握持基部１を設け、握持基部１の両端部に、それぞれ挟持部２，３を一体に設け、これら各挟持部２，３が対向するように折り曲げて設け、これら挟持部２，３の握り部Ａの各両側端には、それぞれ内方に折り曲げた折辺２ａ，２ｂをそれぞれ一体に設け、握持基部１から各挟持部２，３の先端までの寸法が、手の平内に収まる大きさ寸法に形成する。【選択図】図３
0003189219.tif 000002
【実用新案登録請求の範囲】
【請求項１】
平坦な握持基部（１）を設け、該握持基部の両端部に、それぞれ挟持部（２，３）を一体に設け、これら各挟持部（２，３）が対向するように折り曲げて設け、これら挟持部の握り部の各両側端には、それぞれ内方に折り曲げた折辺（２ａ，２ｂ，３ａ，３ｂ）をそれぞれ一体に設け、握持基部（１）から各挟持部（２，３）の先端までの寸法が、手の平内に収まる大きさ寸法に形成したことを特徴とする卓上立て置きトング。
【考案の詳細な説明】
【技術分野】
【０００１】
この考案は、卓上立て置きトングに関するものであり、特に、骨付き鳥料理である，手羽先やもも肉の唐揚げ等を手を汚さずに食するための卓上立て置きトングである。
【背景技術】
【０００２】
従来、鳥に関する料理は、古くより和洋を問わず、種々、存在するものであり、それを食する場合には、通常は、和食であれば箸、洋食であればナイフ・フォーク等を使用するものもある。
【０００３】
しかし、例えば、鳥の手羽先や腿（もも）の唐揚げの場合でも、箸やフォークを用いて少しづつカットして食べることもできるが、箸で掴んだ場合には、それを食べ終わるまで保持することは手が痺れるし、また、煩雑でもあった。
【０００４】
また、それを手で直接握って食べると、行儀が悪く見られると共に、調理した油等が手に付着してしまい、他の料理に手をつける場合には、その手を一度ナフキンで拭いたり、また、フィンガーボール等の水で手先を洗ってから利用しなければならないという煩雑さがあった。
【０００５】
そのため、手が汚れないように、料理の完成とともに、骨の部分をアルミ箔やペーパー等で包んで手が汚れないよう食べやすくしたものが存在している。
【０００６】
また近年女性は、指の爪にネールをしており、油による汚れが落ちにくいため、手が汚れないように、調理の際にはトングを使用している。しかし、そもそもこの器具は、パン、ケーキ、パスタ、氷等を挟む器具である。
【０００７】
従って、骨付き鳥料理をトングで掴んで食べるということは、ご飯を杓子を用いて食べるようなものであり、これは極めて体裁が悪く、且つ行儀の悪いものであった。
【０００８】
そこで、本願出願人は、鳥足料理を掴むための器具である，骨付き鳥料理用の食事用器具を開発し、実用新案権を取得した。しかし、この食事用器具は、手で直接掴むことがないため汚れることがなく、大変便利ではあるが、食事中、皿の中には置いておくスペースがなく、テーブルの上に置くと汚れてしまうことになった。
例えば、特許文献１のように。
【先行技術文献】
【特許文献】
【０００９】
【特許文献１】登録第３１８７１８３号実用新案公報
【考案の概要】
【考案が解決しようとする課題】
【００１０】
そこで、この考案の課題は、手を汚さず、しかも小型で他の料理の取り分けや箸では使い難い料理に使用でき、卓上でも邪魔にならない卓上立て置きトングを開発・提供することにある。
【課題を解決するための手段】
【００１１】
そこでこの考案は、上記の課題を解決すべく、鋭意研究を重ねた結果、平坦な握持基部を設け、該基部の両端に、それぞれ挟持部を一体に設け、これら挟持部の各両側部には、それぞれ内方に折り曲げた折辺をそれぞれ設けた卓上立て置きトングである。
【考案の効果】
【００１２】
この考案によると、トングの握持基部（１）を平坦にしたことにより、トングを卓上に立てて使用することができ、さらに、トングの大きさは手の平よりも小さい大きさであり卓上に立てても安定性がある。
【００１３】
また、各挟持部（２，３）の握り部（Ａ）の各両側端には、それぞれ内方に折り曲げた折辺（２ａ，２ｂ，３ａ，３ｂ）をそれぞれ一体に設けており、このトングを立てた際、料理を挟んだ際に付着した油等は、各折辺の内側を伝って落ちるため、握り部（Ａ）の外側には流れないため、握る手が汚れることがない等の効果を奏する。
【００１４】
また、上記各挟持部には、内方に折り曲げた折辺を設けているため、挟持部の補強的な効果を有する。
【図面の簡単な説明】
【００１５】
【図１】この考案の一実施例を示し、（Ａ）は平面図であり、（Ｂ）は、側面図である。
【図２】この考案の一実施例を示す側面図である。
【図３】この考案の一実施例を示す斜視図である。
【図４】この考案の使用状態を示す説明図である。
【考案を実施するための形態】
【００１６】
以下、この考案について詳細に説明する。尚、この考案においては、以下の記述に限定されるものではなく、この考案の要旨を逸脱しない範囲においては適宜変更可能である。
【実施例】
【００１７】
先ず、この考案の一実施例を図１に基づいて詳述すると、平坦な握持基部（１）を設け、該握持基部の両端部に、それぞれ挟持部（２，３）を一体に設け、これら各挟持部（２，３）が対向するように折り曲げて設け、これら挟持部の握り部の各両側端には、それぞれ内方に折り曲げた折辺（２ａ，２ｂ，３ａ，３ｂ）をそれぞれ一体に設け、握持基部（１）から各挟持部（２，３）の先端までの寸法が、手の平内に収まる大きさ寸法に形成したことを特徴とする卓上立て置きトングから構成される。
【００１８】
上記握持基部（１）は、図１（Ａ）、（Ｂ）、図４に示すように、平坦に形成されており、卓上に簡単に起立可能に構成しているが、この考案の卓上トングの材質がステンレス等の金属性でなく、合成樹脂等の場合には、平坦な握持基部（１）に平坦な錘（４）を設けて倒れ難く構成してもよい。
【００１９】
使用に当たっては、鳥（Ｘ）料理の足の骨（Ｙ）の部分を、先ず、両挟持部（２，３）の挟み部（Ｂ）で掴み、握り部（Ａ）を手で握って固定するものである。
【００２０】
また、この卓上トングは、鳥料理に限らず、他の料理であっても、箸の使い難い料理等の取り分けにも使用できるものである。
【００２１】
さらに、平坦な握持基部（１）及び挟持部には、文字・図形・記号および模様を描いたり、彫ったりし、これらに色彩を施すことにより、高級な食事用の用具になる。
【００２２】
また、握持基部（１）から各挟持部（２，３）の先端までの寸法が、手の平内に収まる大きさ寸法とは、具体的には、成人の手の平の長さ以内であり、１０ｃｍ程度をいう。
【産業上の利用可能性】
【００２３】
この考案の卓上立て置きトングの技術を確立し、実施することにより、産業上利用できるものである。
【符号の説明】
【００２４】
１  握持基部
２  挟持部
２ａ，２ｂ  折辺
３  挟持部
３ａ，３ｂ  折辺
４  平坦な錘
Ａ  握り部
Ｂ  挟み部
Ｘ  鳥
Ｙ  鳥の足の骨
【図１】
0003189219.tif 000003
【図２】
0003189219.tif 000004
【図３】
0003189219.tif 000005
【図４】
0003189219.tif 000006
(57)【要約】      （修正有）【課題】屈折して束ねられ携行に便利で、引っ張り耐性と支持力を有し、牽引または結束に適用でき、折れにくい８８型チェーンロープを提供する。【解決手段】天然繊維やナイロン部材からなる柔軟性を有する部材を束ねたうえ、８の字型に連続して編み上げられた長いチェーンロープ１であり、それぞれの継ぎ目１１は緊密にクロスして結んで編み上げられている。【選択図】図３
0003189261.tif 000002
【実用新案登録請求の範囲】
【請求項１】
柔軟性を有する部材を束ねたうえ、８の字により連続した長いチェーンロープに編み上げられ、そのうち、それぞれの継ぎ目を確実にクロスして結んで編み上げられ、これにより、屈折して束ねられ携行に便利なほか、前記チェーンロープ自らが緊密にクロスしながら編み上げられており、引っ張り耐性と支持力を有しており、牽引または結束に適用でき、折れにくい長所を有することを特徴とする、８８型チェーンロープ。
【請求項２】
前記チェーンロープは天然繊維部材より８の字型に連続して編み上げて、緊密にクロスして結び付けられており、屈折しやすくすることを特徴とする、請求項１記載の８８型チェーンロープ。
【請求項３】
前記チェーンロープはナイロン部材より８の字型に連続して編み上げて、緊密にクロスして結び付けられており、屈折しやすいすることを特徴とする、請求項１記載の８８型チェーンロープ。
【考案の詳細な説明】
【技術分野】
【０００１】
本考案は柔軟性部材をまとめて束ねた上、８の字に連続して編み上げられるチェーンロープに関し、特に屈折し束ねて、携行や搬送に適すると共に、牽引及び結束使用に備える８８型チェーンロープに関する。
【背景技術】
【０００２】
車の牽引工具のうち、ワイヤーロープＡまたは鉄の鎖Ｂの２種がある（図１、２に示す）。しかしワイヤーロープＡは複数の鉄線Ａ１をまとめて束ねた後に構成されるものであるため、屈折して片付けることは難しく、しかも質量が重いである。
【考案の概要】
【考案が解決しようとする課題】
【０００３】
一方、鉄の鎖Ｂは複数の鉄の輪Ｂ１を締結してつなげられており、それ自体にかなりの質量を有し、長くなれはなるほど重くなる。この２種のワイヤーロープを車の牽引に使用すると、燃料が大量に消費される。さらに、少しの不注意で跳ね返ることであざや赤く腫れて、出血を伴うけがになりかねない。作業者にとって、危険が潜んでいる。
【課題を解決するための手段】
【０００４】
そのため、考案者が考案した８８型チェーンロープを提供する。本考案の一目的は、柔軟性を有する部材を束ねたうえ、８の字により連続した長いチェーンロープに編み上げ、そのうち、それぞれの継ぎ目を確実にクロスして結んで編み上げる。これにより、屈折して束ねられ携行に便利なほか、チェーンロープ自体が緊密にクロスしながら編み上げられており、引っ張り耐性と支持力を有しており、牽引または結束に適用でき、折れにくい長所を有する８８型チェーンロープを提供する。
【０００５】
本考案もう一つの目的は、チェーンロープは天然繊維部材より８の字型に連続して編み上げて、緊密にクロスして結び付けられており、屈折しやすい８８型チェーンロープを提供する。
【０００６】
本考案のさらなる一つの目的は、チェーンロープはナイロン部材より８の字型に連続して編み上げて、緊密にクロスして結び付けられており、屈折しやすい８８型チェーンロープを提供する。
【図面の簡単な説明】
【０００７】
【図１】公知技術の図面（その１）である。
【図２】公知技術の図面（その２）である。
【図３】本考案の図面である（その１）。
【図４】本考案の図面である（その２）。
【図５】本考案の図面である（その３）。
【図６】本考案の図面である（その４）。
【図７】本考案の実施態様図である（その１）。
【図８】本考案の実施態様図である（その２）。
【考案を実施するための形態】
【０００８】
まず、図３〜６の詳細図を合わせて参照する。本考案の８８型チェーンロープは、柔軟性部材をまとめて束ねたうえ、８の字型に連続して長いチェーンロープ１に編み上げられる。そのうち、それぞれの継ぎ目１１は緊密にクロスして締結し編み上げられており、チェーンロープ１自体は天然繊維部材（綿材など）またはナイロン部材から構成されるため、容易に屈折して結束することができる。
【０００９】
チェーンロープ１自体は容易に屈折し束ねることができるため、携行や搬送が便利と共に、従来のワイヤーロープＡまたは鉄の鎖Ｂに比べて非常に軽く、搬送される車の負荷を軽減できるほかに、さらに、非常時に備えて車内に備えて置くこともできる。使用するときは、チェーンロープ１の両端をそれぞれ２台の車の前後部位置に固定させて（図７に示す）、チェーンロープ１は８の字に連続して編み上げられており、牽引耐性及び支持の働きを有し、牽引または結束に適用でき、折れにくい長所を有する。
【００１０】
当然ながら、チェーンロープ１は車の牽引のみならず、チェーンロープ１自体は８の字を連続して編み上げられていることから、牽引耐性と支え働きを有し、結束の目的としても使用することができる（図８に示す）。
前述のとおり、本考案は特許法第１０４条による成立要件を満たしており、よって、法により出願し、ご許可願いたい。
【符号の説明】
【００１１】
１            チェーンロープ
１１            継ぎ目
Ａ            ワイヤーロープ
Ａ１            鉄線
Ｂ            鉄のチェーン
Ｂ１            鉄の輪
【図１】
0003189261.tif 000003
【図２】
0003189261.tif 000004
【図３】
0003189261.tif 000005
【図４】
0003189261.tif 000006
【図５】
0003189261.tif 000007
【図６】
0003189261.tif 000008
【図７】
0003189261.tif 000009
【図８】
0003189261.tif 000010
(57)【要約】      （修正有）【課題】冷蔵庫において、チルドルームの容積率を改善する３セット冷蔵庫を提供する。【解決手段】チルドルームの中に、各段に食品が収納でき回転可能な螺旋階段のミニチュアと、各席に食品を収納でき回転可能な観覧車のミニチュアと、従来の棚とが交換可能に設置された。【選択図】図１
0003194895.tif 000002
【実用新案登録請求の範囲】
【請求項１】
電気冷蔵庫、永き歴史の中で今や隔世の感がありますが、チルドルームの構造の工夫はあるまいかと少々改造を試みた。棚の見通しの悪さなどに手を加えてみたい。
【請求項２】
棚を外し、チルドルームの中に螺旋階段のミニチュアと観覧車のミニチュアを作成した。従来の棚も併せ三点、折に触れ交換し、
併用できたら楽しい展開、回転が、ユニークである。素材はアルミかアクリルが最適か。
【考案の詳細な説明】
【背景技術】
【０００１】外装、内装共申し分ないが、チルドルームの改善を少々試みたい【０００２】考案に関する技術分野
（１）螺旋型は容積率を割り出し段数の増減で調整。指一本で左右に回転できるよう車軸を設ける。
（２）観覧車型は外側の席は取り外す、内側の席をアレンジ、食品の出し入れのスペースを創ることで解決する。
上下回転なので食品の出し入れには、
一旦停止の必要ありの装置を。
各席、重量に差があることも勘案されたし。
（３）螺旋型は台座を作り簡単に交換できるようにネジ一本で止めるようにする（図面参照）
観覧型は棚の支えの桟の中央を凹まして利用する。
【図面の簡単な説明】
【０００３】
【図１】全体的に円形ので各段には淵取りを付ける。落下防止の為に、指１本でクルクルと廻す。
【図２】実物より構造、骨組が省略出来ますので容積率に余裕がありますのでスペースがグーンとアツプします。
【図１】
0003194895.tif 000003
【図２】
0003194895.tif 000004
【手続補正書】
【提出日】平成26年9月16日(2014.9.16)
【手続補正１】
【補正対象書類名】実用新案登録請求の範囲
【補正対象項目名】全文
【補正方法】変更
【補正の内容】
【実用新案登録請求の範囲】
【請求項１】
チルドルームの中に、各段に食品が収納でき回転可能な螺旋階段のミニチュアと、各席に食品を収納でき回転可能な観覧車のミニチュアと、従来の棚とが交換可能に設置された、３セット冷蔵庫。
(57)【要約】      （修正有）【課題】袋そのものを皿に兼用出来る粘着面付菓子袋を提供する。【解決手段】菓子袋１の底辺部の中央に主として両外側の中間位に及ぶ長さの粘着両面テープ２を予め設置しておき、菓子袋１を開口し中身を取り出し食する時、外側テープ覆いを取り除き、取り出しに必要な広さになるように押し付け床面に接着して利用するような粘着両面テープ２を設ける。【選択図】図１
0003194892.tif 000002
【実用新案登録請求の範囲】
【請求項１】
菓子袋等（１）の袋を開封後、中身を取り出し易くする目的で袋を固定し底、側面等に粘着部分（２）を施した袋。
【考案の詳細な説明】
【技術分野】
【０００１】この発明は菓子袋等の底辺部に粘着部分を設けた形状の袋に関するものである。
【背景技術】
【０００２】従来、粘着面のある菓子袋は無かった。
【考案の開示】
【考案が解決しようとする課題】
【０００３】これは、次のような欠点があった。
従来は、外出先や電車の中等でツマミ等菓子袋等の中身を食する時は取り皿が無い為に開口してからほとんど両手で袋を持って取り出して食している。
これは、飲料もある場合は不便であり、袋が取り皿代わりになれば便利と考えた。
本考案は、以上のような欠点をなくすためになされたものである。
【課題を解決するための手段】
【０００４】袋（１）の底辺部に粘着部（２）を設け、その粘着部は両側面に及ぶ幅とする。
本考案は以上の構成よりなる菓子袋である。
【考案の効果】
【０００５】菓子袋の底辺部に粘着性両面テープが設けてあるので、袋開口後両面テープの外面部を剥がし、内容物を取り出す為の充分な広さを確保しテープ部分を押し付け、袋を床面に設置する。従って袋は動かず、又取り出し口は開いた状態なので片手は自由で例えば、手の不自由な人でも便利である。
【考案を実施する為の最良の形態】
【０００６】以下、本考案を実施するための最良の形態について説明する。
菓子袋等（１）の底辺部に取り出し口確保の、    必要最低限の粘着両面テープを設ける。その長さは、袋の両外側の中間部位に及ぶものとする。
本考案は、以上のような構造である。
これを利用する時は、利用者の適当な床面に外側のテープシールを取り除き取り出し口を確保し、押し付けて床面に設置して利用するから取り皿を必要としない。
【図面の簡単な説明】
【０００７】
【図１】本考案の斜視図である。
【図２】本考案の側面図である。
【符号の説明】
【０００８】１．袋
２．粘着両面テープ
【図１】
0003194892.tif 000003
【図２】
0003194892.tif 000004
【手続補正書】
【提出日】平成26年8月22日(2014.8.22)
【手続補正１】
【補正対象書類名】実用新案登録請求の範囲
【補正対象項目名】全文
【補正方法】変更
【補正の内容】
【実用新案登録請求の範囲】
【請求項１】
菓子袋等（１）の袋を開封後、中身を取り出し易くする為に取り出し口を確保、固定する目的で、底又は側面に粘着部分（２）を施した袋。
(57)【要約】      （修正有）【課題】シートの取り外し及び取り付けが容易になるシート固定具を提供する。【解決手段】シート固定具は、ペット用トイレとして用いられる上方が開放された箱の四隅に配置され、箱の内部に敷設されたシートの四隅を挟持し、板状体で形成された本体１０の中央部に、凹部と凸部とが互いに隣接する形状の切り込み２０が形成され、本体１０は、切り込み２０を中心として左右対称に配置され、上下方向に延びる一対の折り曲げ線１３を有し、一対の折り曲げ線１３で、本体の左右端１２を折り曲げ、この左右端１２を箱に接着部により固定し、切り込み２０でシートの端を挟持する。【選択図】図２
0003194835.tif 000002
【実用新案登録請求の範囲】
【請求項１】
ペット用トイレとして用いられる上方が開放された箱の四隅に配置され、箱の内部に敷設されたシートの四隅を挟持するシート固定具であって、板状体で形成された本体の略中央に、凹部と凸部とが互いに隣接する形状の切り込みが形成され、本体は、切り込みを中心として左右対称に配置され、上下方向に延びる一対の折り曲げ線を有し、一対の折り曲げ線で、本体の左右端を折り曲げ、この左右端を箱に固定し、切り込みでシートの端を挟持するシート固定具。
【考案の詳細な説明】
【技術分野】
【０００１】
この考案はシート固定具に関するものである。
【背景技術】
【０００２】
猫のトイレの臭いはトイレに付着した尿や便が原因であることが多い。こまめに掃除しなければいけないが次の3つの欠点がある。
まず、既製品の猫用トイレは大きく、丸洗いするのには困難である。
次に、猫用トイレは猫砂とシートを分けるためにすのこ状になっているものが多いが、すのこ自体に汚れが付着するので、シートを取り換えても臭いを防げない。
最後に、大便を取り去る時にはスコップですくって塊を清掃するが、臭いはストレスである。
【０００３】
このため、シートに直接排泄させ、シートを排泄物ごと廃棄するのが望ましい。
【先行技術文献】
【特許文献】
【０００４】
【特許文献１】特開2000-262172号公報
【考案の概要】
【考案が解決しようとする課題】
【０００５】
本考案は、シートの取り外し及び取り付けが容易になるシート固定具を提供することを目的とする。
【課題を解決するための手段】
【０００６】
ペット用トイレとして用いられる上方が開放された箱の四隅に配置され、箱の内部に敷設されたシートの四隅を挟持するシート固定具であって、板状体で形成された本体の略中央に、凹部と凸部とが互いに隣接する形状の切り込みが形成され、本体は、切り込みを中心として左右対称に配置され、上下方向に延びる一対の折り曲げ線を有し、一対の折り曲げ線で、本体の左右端を折り曲げ、この左右端を箱に固定し、切り込みでシートの端を挟持するシート固定具。
【考案の効果】
【０００７】
本考案によれば、シートの取り外し及び取り付けが容易になるシート固定具を提供できる。
【図面の簡単な説明】
【０００８】
【図１】本考案の実施形態に係るシート固定具1の使用状態を示す図である。
【図２】前記実施形態に係るシート固定具1の斜視図である。
【図３】前記実施形態に係るシート固定具1の展開図である。
【考案を実施するための形態】
【０００９】
シート固定具1は、ペット用トイレとして用いられる上方が開放された箱100の四隅に配置され、箱100の内部に敷設されたシート200の四隅を挟持し、板状体で形成された本体10の中央部に、凹部と凸部とが互いに隣接する形状の切り込み20が形成され、本体10は、切り込み20を中心として左右対称に配置され、上下方向に延びる一対の折り曲げ線13を有し、一対の折り曲げ線13で、本体の左右端12を折り曲げ、この左右端12を箱100に接着部30により固定し、切り込み20でシート200の端を挟持する。
【００１０】
本体10は、例えば、12cm×5cm厚み1mmのプラスチック板で形成されている。
シート固定具1は、本体10を一対の折り曲げ線13で折り畳み、三角柱の形状にしたものを４つで１セットとして、それぞれ段ボールの箱100の四隅に取り付ける。段ボールの箱100の底面積より少し広いペットシート200を段ボールの箱100底面にひき、四隅をシート固定具1の切り込み20に挟み固定する。
固定したシートの上に猫砂を配置し、猫用トイレとして使用する。
猫が用を足した後、猫砂ごとペットシートを取り除き廃棄する。
【００１１】
本実施形態によればペットシートの取り外しは簡単で、汚物をシートごとすぐにビニール袋等に入れれば臭いによるストレスもなく素早く汚物処理ができる。
また、段ボール箱自体が汚れてしまった場合も、段ボールは簡単に廃棄でき、新しいものを入手できるので、汚れたトイレは清掃するのではなく、廃棄とし、新しいトイレを作成すればいつでも清潔な猫トイレを常置することができる。
【符号の説明】
【００１２】
１  シート固定具
10  本体
11  中央部
12  左右端
13  折り曲げ線
20  切り込み
30  接着部
100  箱
200  シート
【図１】
0003194835.tif 000003
【図２】
0003194835.tif 000004
【図３】
0003194835.tif 000005
(57)【要約】      （修正有）【課題】ゆとりある空間を有する玄関と共に整形された部屋を提供することができるマンションの玄関を提供する。【解決手段】玄関の両側壁を平らにし、この両側壁の間隔の幅と同じ幅を有する廊下に接すると共に、該玄関に隣接する部屋を整形された空間とする。【選択図】図１
0003194416.tif 000002
【実用新案登録請求の範囲】
【請求項１】
玄関の両側壁を平らにし、この両側壁間の間隔と同じ幅を有する廊下に接すると共に、該玄関に隣接する部屋を整形された空間とすることを特徴とするマンションの玄関。
【請求項２】
前記玄関の土間に下足入れを設けた請求項１記載のマンションの玄関。
【考案の詳細な説明】
【技術分野】
【０００１】
本考案は主に居室の専有面積が約６０ｍ２〜７０ｍ２程度のマンションの玄関に関し、特にこの種のマンションにおいてゆとりある空間を提供できる玄関に関する。
【背景技術】
【０００２】
従来のマンションの玄関に関する工夫としては採光の点を考慮したり（特許文献１）、遮熱を考慮したり（特許文献２）或いは玄関の換気について検討されているが、マンションの玄関自体の空間に余り工夫が施されていないのが現状である。
【先行技術文献】
【特許文献】
【０００３】
【特許文献１】実開平６−７１８７８号公報
【特許文献２】特開２０００−２１３２４８号公報
【特許文献３】実用新案登録第３０９０５７５号公報
【０００４】
しかし、玄関は来客がその家と最初に出会う空間であり、また、帰宅したときホッとする場所であるので、その第一印象は極めて重要な場所である。だが、居室の専有面積が約６０ｍ２〜７０ｍ２程度の広さのマンションでは玄関のスペースは制限されやすく、例えば玄関に隣接した部屋を大きくするためその一部を玄関側若しくは玄関に接する廊下側に押し出すような格好に設計されたりすると、玄関に入ったとき、ゆとりある開放感が味わえず、逆に、玄関側を広くするため玄関の下足入れ等を隣接する部屋に突出させると、隣接する部屋内部に凹部若しくは凸部が形成されることとなり、使用し難い空間が生じることとなる。
【考案の概要】
【考案が解決しようとする課題】
【０００５】
本考案者は、使用し難い空間を生じることなく開放感が味わえる広さの玄関を提供すべく種々検討を行った結果、本考案を完成したもので、本考案の目的はゆとりある空間を提供できるマンションの玄関に関する。
【課題を解決するための手段】
【０００６】
本考案の要旨は、玄関の両側壁を平らにし、この両側壁間の間隔と同じ幅を有する廊下に接すると共に、該玄関に隣接する部屋を整形された空間とすることを特徴とするマンションの玄関である。
【考案の効果】
【０００７】
本考案においては玄関の両壁面に何らの凹凸を設けることなく平らな壁面で構成され、玄関の幅で廊下に続いているので、シンプルでゆとりが感じられる空間を提供することができ、しかも隣接する部屋は整形された空間なので、効率よく使うことが出来る等の効果を奏する。
【図面の簡単な説明】
【０００８】
【図１】本考案に係る玄関の平面図
【図２】本考案に係る他の玄関の平面図
【図３】従来の玄関の平面図
【図４】他の従来の玄関の平面図
【考案を実施するための形態】
【０００９】
本考案に係る玄関を有するマンションとしては、主に居室の専有面積が約６０ｍ２〜７０ｍ２程度のマンションで、その玄関の幅は約１，４００ｍｍ程度であって、その幅と同じ幅の廊下に繋がっている。玄関の土間には下足入れを設けることが好ましい。玄関の一方の側壁若しくは両側壁にはそれぞれ部屋が隣接しており、廊下には各部屋に入るドアが設けられている。本考案に係る玄関はその幅の廊下に連なっているので玄関に入るとそのままの幅で奥に連なっていることになるので、すっきりとした空間が開けた感触を与える。玄関に隣接した部屋の壁面の一つは玄関の壁面に接し、その部屋の壁面は平らで、整形された空間を構成しているので、極めて使いよい部屋を提供する。
【実施例】
【００１０】
以下、本考案の実施の形態として図面を参照しつつ説明する。
図３及び図４に示すように、従来の居室の専有面積６０ｍ２〜７０ｍ２程度のマンションの玄関ではその間口は約９５０ｍｍ程度で、この玄関に設けられている下足入れのスペースは玄関に隣接する部屋に突設して設けられている。そのため、隣接する部屋の側壁はこの突設部分のコーナーに相当する凹凸が形成されている。そのため部屋内部より見ると、部屋の一部が廊下側に張り出した格好となり、玄関の幅より廊下の幅が狭く、部屋内部には凸部が有り広いように感ぜられるが、玄関側に突出した部分は使い勝手が限られることが多く、平坦な壁面に比してその使い勝手は良くない。
この点を改良したのが本考案であって、その一例を図１及び図２に示す。
図１及び第２図において、玄関と隣接する部屋との境は凹凸を設けることなく廊下の幅を広げて隣室との境を平らな壁面にし、玄関の幅と同じ幅の廊下に隣接するようにする。上述のように構成することによって、玄関の壁面は凹凸部分がないためゆとりある空間として感じられる。さらに、壁面に凹凸がないため、従来よりも下足入れの横幅寸法を拡張することが可能となり、下足入れの形状をカウンター型として従来と同等の収納量を確保しながらも、絵や小物を飾ることを楽しんだり下足入れの高さを高くしたトール型として従来よりも収納量を増やすなど、ライフスタイルに合わせた選択も可能である。同時に玄関に接した部屋には、柱などを設ける必要はなく整形された空間となっているため、極めて使いやすい空間を提供することが出来た。
【産業上の利用可能性】
【００１１】
本考案は居室の専有面積６０ｍ２〜７０ｍ２程度のマンションにおいて、玄関の平らな両側壁の間隔と同じ幅の廊下に接すると共に隣接する部屋を整形された部屋とすることにより、玄関の広さと隣接する部屋を整形された空間とすることによって玄関の開放感と隣接する部屋の使い易さを具備した玄関を提供できる。
【図１】
0003194416.tif 000003
【図２】
0003194416.tif 000004
【図３】
0003194416.tif 000005
【図４】
0003194416.tif 000006